(57)【要約】【課題】  安価な構造でゲルボックスをアクトベースに確実に固定すること。【解決手段】  対物レンズＯＬ及び複数のコイル１を取り付けたレンズホルダ２とゲルボックス３とが複数の弾性ワイヤ４により連結され、ゲルボックス３の下面の両側部に一体突設した一対の位置決め突起部５がアクトベース７の位置決め孔８に嵌入され、ゲルボックス３の下面の中央に横断面円形のポケット１５が凹設され、該ポケット１５に同心状に連通しそのポケット１５と同径の円形状連通孔１６がアクトベース７に貫設され、ポケット１５の底面中央に一体突設されて先端を連通孔１６に遊嵌入させた芯棒１７が設けられ、連通孔１６及びポケット１５に紫外線硬化性接着剤（または熱硬化性接着剤）を充填することにより、芯棒１７とポケット１５及び連通孔１６の内周面との間にその紫外線硬化性接着剤（または熱硬化性接着剤）からなる筒状接着剤層１９が形成されている。【選択図】        図１
2007234182.tif 000002
【特許請求の範囲】
【請求項１】
対物レンズ及び複数のコイルを取り付けたレンズホルダと合成樹脂製ゲルボックスとが
複数の弾性ワイヤにより連結され、前記ゲルボックスの下面の両側部に一体突設した一対
の位置決め突起部を前記アクトベースに貫設した位置決め孔に嵌入させると共に、該ゲル
ボックスの中央部を貫通するビス挿通孔を通ってアクトベースのねじ孔にビスをねじ込む
ことにより、そのゲルボックスがアクトベース上の所定位置に固定されており、前記各コ
イルに通電することによりレンズホルダを駆動し、レーザ光を対物レンズを介してディス
クに投射し、その反射光を受光してディスクに記録されている情報を読み取るようにした
光ピックアップにおいて、前記ビスを省略し、前記ゲルボックスのビス挿通孔に代えて、
該ゲルボックスの下面の中央にポケットが凹設され、前記アクトベースのねじ孔に代えて
、前記ポケットに同心状に連通する連通孔がアクトベースに貫設され、前記ポケットの底
面中央に一体突設されて先端を連通孔に遊嵌入させた芯棒が設けられ、前記連通孔の内径
をポケットの内径よりも小さく設定することにより、該連通孔の内周縁によりポケットの
開口部の外周部分が塞がれ、前記アクトベースの連通孔の周辺を貫通してポケット内に連
通する空気抜き孔が設けられ、前記連通孔の内周縁に一体突設されて前記ポケット内に遊
嵌入する環状補強壁が設けられると共に、該環状補強壁の先端内周縁に一体形成されて芯
棒に遊嵌合する内鍔部が設けられており、前記連通孔及びポケットに接着剤を充填するこ
とにより、ゲルボックスがアクトベース上の所定位置に固定されていることを特徴とする
光ピックアップ。
【請求項２】
対物レンズ及び複数のコイルを取り付けたレンズホルダと合成樹脂製ゲルボックスとが
複数の弾性ワイヤにより連結され、前記ゲルボックスの下面の両側部に一体突設した一対
の位置決め突起部を前記アクトベースに貫設した位置決め孔に嵌入させると共に、該ゲル
ボックスの中央部を固定手段で金属板製アクトベースに連結することにより、そのゲルボ
ックスがアクトベース上の所定位置に固定されており、前記各コイルに通電することによ
りレンズホルダを駆動し、レーザ光を対物レンズを介してディスクに投射し、その反射光
を受光してディスクに記録されている情報を読み取るようにした光ピックアップにおいて
、前記固定手段が、ゲルボックスの下面の中央部に凹設したポケットと、アクトベースに
貫設されて前記ポケットに同心状に連通する連通孔とを有し、前記ポケットの底面中央に
一体突設されて先端を連通孔に遊嵌入させた芯棒が設けられ、前記連通孔及びポケットに
接着剤を充填することにより、ゲルボックスがアクトベース上の所定位置に固定されてい
ることを特徴とする光ピックアップ。
【請求項３】
前記連通孔の内径をポケットの内径よりも小さく設定することにより、該連通孔の内周
縁によりポケットの開口部の外周部分が塞がれ、前記アクトベースの連通孔の周辺を貫通
してポケット内に連通する空気抜き孔が設けられていることを特徴とする請求項２に記載
の光ピックアップ。
【請求項４】
前記連通孔の内周縁に一体突設されて前記ポケット内に遊嵌入する環状補強壁を有する
ことを特徴とする請求項３に記載の光ピックアップ。
【請求項５】
前記環状補強壁の先端内周縁に一体形成されて芯棒に遊嵌合する内鍔部を有することを
特徴とする請求項４に記載の光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、安価な構造でゲルボックスをアクトベースに確実に固定す
ることができるようにしたものである。
【背景技術】
【０００２】
従来、光ピックアップの技術として特許文献１などの記載したものがあり、その一例を
図８及び図９に基づいて説明すると、対物レンズＯＬ及び複数のコイル（フォーカスコイ
ル、トラッキングコイル及びチルトコイル）１を取り付けたレンズホルダ２と合成樹脂製
ゲルボックス３とに複数（この例では３本）の弾性ワイヤ４の両端を半田付けＰしするこ
とにより、そのレンズホルダ２とゲルボックス３とが各弾性ワイヤ４を介して連結されて
いる。
【０００３】
また、前記ゲルボックス３の下面の両側部に一対の位置決め突起部５が一体突設される
と共に、該各位置決め突起部５に対向してアクトベース７に一対の位置決め孔８が貫設さ
れ、前記ゲルボックス３の中央部の上面に形成した大径孔９ａと該ゲルボックス３の中央
の下面に形成した小径孔９ｂとからなるビス挿通孔９が形成され、該ビス挿通孔９に対向
してアクトベース７にねじ孔１０が形成されており、前記各位置決め突起部５を各位置決
め孔８に嵌入させ、ビス挿通孔９を通ってねじ孔１０にビス１１をねじ込むことにより、
そのゲルボックス３がアクトベース７上の所定位置に固定されている。なお、１２はレン
ズホルダ２を間に挟んで対向する永久磁石、１３はヨーク、Ｇはゲルボックス３内に充填
したゲルであって、該ゲルＧ中を各弾性ワイヤ４が通っている。
【０００４】
情報読取手順を説明すると、ディスク装置に内蔵したマイコンからなる制御部の制御に
より、各弾性ワイヤ４を介して各コイル１に通電することにより、レンズホルダ２をフォ
ーカス方向やトラッキング方向及びまたはチルト方向に駆動し、レーザ光を対物レンズＯ
Ｌを介してディスクＤに投射し、その反射光を受光してディスクＤに記録されている情報
を読み取る。
【特許文献１】特開２００５−２５１３６５号公報
【発明の開示】
【発明が解決しようとする課題】
【０００５】
上記従来の構成では、ゲルボックス３をアクトベース７に固定するためにビス１１を用
いており、そのビス１１の分だけ部品点数が増加してコストアップになると共に、アクト
ベース７にねじ孔１０を形成する必要があり、そのねじ孔加工費も高くつく。
【０００６】
そこで、ゲルボックス３の下面をアクトベース７の上面に接着剤で接着することが考え
られるが、単に接着剤で接着しただけでは、その接着力が小さいため、例えば組立工程で
、ゲルボックス３を把持したときにアクトベース７が工具などに不測に当たるなどして、
該アクトベース７がゲルボックス３から離間する方向に強く引っ張られることにより、そ
のアクトベース７がゲルボックス３から剥離されるおそれがある。
【０００７】
本発明は、上記従来の欠点に鑑み、安価な構造でゲルボックスをアクトベースに確実に
固定することができるようにした光ピックアップを提供することを目的としている。
【課題を解決するための手段】
【０００８】
上記目的を達成するため、請求項１に記載の発明は、対物レンズ及び複数のコイルを取
り付けたレンズホルダと合成樹脂製ゲルボックスとが複数の弾性ワイヤにより連結され、
前記ゲルボックスの下面の両側部に一体突設した一対の位置決め突起部を前記アクトベー
スに貫設した位置決め孔に嵌入させると共に、該ゲルボックスの中央部を貫通するビス挿
通孔を通ってアクトベースのねじ孔にビスをねじ込むことにより、そのゲルボックスがア
クトベース上の所定位置に固定されており、前記各コイルに通電することによりレンズホ
ルダを駆動し、レーザ光を対物レンズを介してディスクに投射し、その反射光を受光して
ディスクに記録されている情報を読み取るようにした光ピックアップにおいて、前記ビス
を省略し、前記ゲルボックスのビス挿通孔に代えて、該ゲルボックスの下面の中央にポケ
ットが凹設され、前記アクトベースのねじ孔に代えて、前記ポケットに同心状に連通する
連通孔がアクトベースに貫設され、前記ポケットの底面中央に一体突設されて先端を連通
孔に遊嵌入させた芯棒が設けられ、前記連通孔の内径をポケットの内径よりも小さく設定
することにより、該連通孔の内周縁によりポケットの開口部の外周部分が塞がれ、前記ア
クトベースの連通孔の周辺を貫通してポケット内に連通する空気抜き孔が設けられ、前記
連通孔の内周縁に一体突設されて前記ポケット内に遊嵌入する環状補強壁が設けられると
共に、該環状補強壁の先端内周縁に一体形成されて芯棒に遊嵌合する内鍔部が設けられて
おり、前記連通孔及びポケットに接着剤を充填することにより、ゲルボックスがアクトベ
ース上の所定位置に固定されていることを特徴としている。
【０００９】
請求項２に記載の発明は、対物レンズ及び複数のコイルを取り付けたレンズホルダと合
成樹脂製ゲルボックスとが複数の弾性ワイヤにより連結され、前記ゲルボックスの下面の
両側部に一体突設した一対の位置決め突起部を前記アクトベースに貫設した位置決め孔に
嵌入させると共に、該ゲルボックスの中央部を固定手段で金属板製アクトベースに連結す
ることにより、そのゲルボックスがアクトベース上の所定位置に固定されており、前記各
コイルに通電することによりレンズホルダを駆動し、レーザ光を対物レンズを介してディ
スクに投射し、その反射光を受光してディスクに記録されている情報を読み取るようにし
た光ピックアップにおいて、前記固定手段が、ゲルボックスの下面の中央部に凹設したポ
ケットと、アクトベースに貫設されて前記ポケットに同心状に連通する連通孔とを有し、
前記ポケットの底面中央に一体突設されて先端を連通孔に遊嵌入させた芯棒が設けられ、
前記連通孔及びポケットに接着剤を充填することにより、ゲルボックスがアクトベース上
の所定位置に固定されていることを特徴としている。
【００１０】
請求項３に記載の発明は、請求項２に記載の発明において、前記連通孔の内径をポケッ
トの内径よりも小さく設定することにより、該連通孔の内周縁によりポケットの開口部の
外周部分が塞がれ、前記アクトベースの連通孔の周辺を貫通してポケット内に連通する空
気抜き孔が設けられていることを特徴としている。
【００１１】
請求項４に記載の発明は、請求項３に記載の発明において、前記連通孔の内周縁に一体
突設されて前記ポケット内に遊嵌入する環状補強壁を有することを特徴としている。
【００１２】
請求項５に記載の発明は、請求項４に記載の発明において、前記環状補強壁の先端内周
縁に一体形成されて芯棒に遊嵌合する内鍔部を有することを特徴としている。
【発明の効果】
【００１３】
請求項１に記載の発明は第１の実施の形態（図１〜図４参照）に対応するものであって
、これによれば、ゲルボックスに凹設したポケットの底面中央に一体突設された芯棒がア
クトベースの連通孔に遊嵌入され、該芯棒と連通孔及びポケットの内周面との間に筒状接
着剤層が形成され、該筒状接着剤層がゲルボックスとアクトベースとの間に楔状に介在さ
れているので、例えば組立工程で、ゲルボックスを把持したときにアクトベースが工具な
どに不測に当たるなどして、該アクトベースがゲルボックスから離間する方向に強く引っ
張られたとしても、その引張力に前記筒状接着剤層及び芯棒が対抗して、ゲルボックスか
らアクトベースが離間されるのを阻止し、そのゲルボックスがアクトベースに固定された
状態を確実に保持することができる。
【００１４】
また、ゲルボックスを固定するために従来用いていたビスを省略して部品点数を削減す
ると共に、アクトベースにねじ孔加工を施す必要がないので、コストダウンを図ることが
できる。
【００１５】
更に、連通孔の内周縁によりポケットの開口部の外周部分が塞がれてアクトベースと筒
状接着剤層との接触面積が大きくなっており、その接触面積が大きくなった分だけ、ゲル
ボックスをアクトベースに一層確実に固定することができ、しかも、接着剤を連通孔から
ポケット内に充填する際に、該ポケット内の空気を空気抜き孔を通って外部に排出するか
ら、その充填作業を円滑に行うことができると共に、筒状接着剤層内に空気溜まりが形成
されないようにして、その空気溜まりの発生による強度の低下を防ぐことができる。
【００１６】
また更に、連通孔の内周縁に一体突設した環状補強壁が筒状接着剤層内に食い込んでい
るので、ゲルボックスからアクトベースが剥離されないように確実に補強することができ
る。
【００１７】
しかも、環状補強壁の先端内周縁に一体形成した内鍔部が芯棒に近づくように筒状接着
剤層内に食い込んでいるので、ゲルボックスからアクトベースが剥離されないように一層
確実に補強することができる。
【００１８】
請求項２に記載の発明は基本形態に対応するものであって、これによれば、ゲルボック
スに凹設したポケットの底面中央に一体突設された芯棒がアクトベースの連通孔に遊嵌入
され、該芯棒と連通孔及びポケットの内周面との間に筒状接着剤層が形成され、該筒状接
着剤層がゲルボックスとアクトベースとの間に楔状に介在されているので、例えば組立工
程で、ゲルボックスを把持したときにアクトベースが工具などに不測に当たるなどして、
該アクトベースがゲルボックスから離間する方向に強く引っ張られたとしても、その引張
力に前記筒状接着剤層及び芯棒が対抗して、ゲルボックスからアクトベースが離間される
のを阻止し、そのゲルボックスがアクトベースに固定された状態を確実に保持することが
できる。
【００１９】
また、ゲルボックスを固定するために従来用いていたビスを省略して部品点数を削減す
ると共に、アクトベースにねじ孔加工を施す必要がないので、コストダウンを図ることが
できる。
【００２０】
請求項３に記載の発明によれば、連通孔の内周縁によりポケットの開口部の外周部分が
塞がれてアクトベースと筒状接着剤層との接触面積が大きくなっており、その接触面積が
大きくなった分だけ、ゲルボックスをアクトベースに一層確実に固定することができ、し
かも、接着剤を連通孔からポケット内に充填する際に、該ポケット内の空気を空気抜き孔
を通って外部に排出するから、その充填作業を円滑に行うことができると共に、筒状接着
剤層内に空気溜まりが形成されないようにして、その空気溜まりの発生による強度の低下
を防ぐことができる。
【００２１】
請求項４に記載の発明によれば、連通孔の内周縁に一体突設した環状補強壁が筒状接着
剤層内に食い込んでいるので、ゲルボックスからアクトベースが剥離されないように確実
に補強することができる。
【００２２】
請求項５に記載の発明によれば、環状補強壁の先端内周縁に一体形成した内鍔部が芯棒
に近づくように筒状接着剤層内に食い込んでいるので、ゲルボックスからアクトベースが
剥離されないように一層確実に補強することができる。
【発明を実施するための最良の形態】
【００２３】
図１〜図４は本発明の第１の実施の形態である光ピックアップを示すものであって、ゲ
ルボックス３の下面の中央に横断面円形のポケット１５が凹設され、該ポケット１５に同
心状に連通しそのポケット１５と同径の円形状連通孔１６がアクトベース７に貫設され、
ポケット１５の底面中央に一体突設されて先端を連通孔１６に遊嵌入させた芯棒１７が設
けられ、連通孔１６及びポケット１５に紫外線硬化性接着剤（または熱硬化性接着剤）を
充填することにより、芯棒１７とポケット１５及び連通孔１６の内周面との間にその紫外
線硬化性接着剤（または熱硬化性接着剤）からなる円筒状の筒状接着剤層１９が形成され
ている。上記以外の構成は図８及び図９に示す構成とほぼ同じであるから、同一部分に同
一符号を付してその説明を省略する。
【００２４】
ゲルボックス３の固定手順を説明すると、図３に示すように、ゲルボックス３の下面を
上向きにした状態で該ゲルボックス３を治具（図示せず）に固定し、アクトベース７の位
置決め孔８をゲルボックス３の位置決め突起部５に嵌合させることにより、該アクトベー
ス７をゲルボックス３上に載置する。次に、図４に示すように、充填器１８により連通孔
１６及びポケット１５に紫外線硬化性接着剤（または熱硬化性接着剤）を充填し、紫外線
を照射して（または加熱して）、その紫外線硬化性接着剤（または熱硬化性接着剤）を硬
化させることにより筒状接着剤層１９を形成する。
【００２５】
上記構成によれば、芯棒１７と連通孔１６及びポケット１５の内周面との間に筒状接着
剤層１９が形成され、該筒状接着剤層１９がゲルボックス３とアクトベース７との間に楔
状に介在されているので、例えば組立工程で、ゲルボックス３を把持したときにアクトベ
ース７が工具などに不測に当たるなどして、該アクトベース７がゲルボックス３から離間
する方向に強く引っ張られたとしても、その引張力Ｐ〔図４（ｂ）参照〕に筒状接着剤層
１９及び芯棒１７が対抗して、ゲルボックス３からアクトベース７が離間されるのを阻止
し、そのゲルボックス３がアクトベース７に固定された状態を確実に保持することができ
る。
【００２６】
また、ゲルボックス３を固定するために従来用いていたビス１１（図９参照）を省略し
て部品点数を削減すると共に、アクトベース７にねじ孔１０（図９参照）を形成する必要
がないので、コストダウンを図ることができる。
【００２７】
図５は本発明の第２の実施の形態である光ピックアップの要部を示すものであって、連
通孔１６の内径ｄ１をポケット１５の内径ｄ２よりも小さく設定することにより、該連通
孔１６の内周縁１６ａが芯棒１７側に所定長さｍだけ突出して該芯棒１７に遊嵌合され、
これによって、その連通孔１６の内周縁１６ａによりポケット１５の開口部の外周部分が
塞がれ、アクトベース７の連通孔１６の周辺を貫通してポケット１５内に連通する空気抜
き孔２０が設けられている。上記以外の構成は図１〜図４に示す構成とほぼ同じであるか
ら、同一部分に同一符号を付してその説明を省略する。
【００２８】
上記構成によれば、連通孔１６の内周縁１６ａによりポケット１５の開口部の外周部分
が塞がれて、アクトベース７と筒状接着剤層１９との接触面積が大きくなっており、その
接触面積が大きくなった分だけ、ゲルボックス３をアクトベース７に一層確実に固定する
ことができ、しかも、紫外線硬化性接着剤（または熱硬化性接着剤）を連通孔１６からポ
ケット１５内に充填する際に、該ポケット１５内の空気を空気抜き孔２０を通って外部に
排出するから、その充填作業を円滑に行うことができると共に、筒状接着剤層１９内に空
気溜まりが形成されないようにして、その空気溜まりの発生による強度の低下を防ぐこと
ができる。
【００２９】
図６は本発明の第３の実施の形態である光ピックアップの要部を示すものであって、連
通孔１６の内周縁１６ａに一体突設されてポケット１５内に所定長さｈだけ遊嵌入する環
状補強壁１６ｂを有している。上記以外の構成は図５に示す構成とほぼ同じであるから、
同一部分に同一符号を付してその説明を省略する。
【００３０】
上記構成によれば、連通孔１６の内周縁１６ａに一体突設した環状補強壁１６ｂが筒状
接着剤層１９内に食い込んでいるので、ゲルボックス３からアクトベース７が剥離されな
いように確実に補強することができる。
【００３１】
図７は本発明の第４の実施の形態である光ピックアップの要部を示すものであって、環
状補強壁１６ｂの先端内周縁に一体形成されて芯棒１７側に所定長さｔだけ突出して該芯
棒１７に遊嵌合する内鍔部１６ｃを有している。上記以外の構成は図６に示す構成とほぼ
同じであるから、同一部分に同一符号を付してその説明を省略する。
【００３２】
上記構成によれば、内鍔部１６ｃが芯棒１７に近づくように筒状接着剤層１９内に食い
込んでいるので、ゲルボックス３からアクトベース７が剥離されないように一層確実に補
強することができる。
【００３３】
上記各実施の形態では、ポケット１５及び連通孔１６が円形にされることにより、筒状
接着剤層１９を円筒状に形成したが、これに限定されるわけではなく、ポケット１５及び
連通孔１６が四角形などの多角形にされることにより、筒状接着剤層１９を多角筒状に形
成してもよい。
【図面の簡単な説明】
【００３４】
【図１】（ａ）は本発明の第１の実施の形態である光ピックアップの一部切欠き平面図、（ｂ）は同一部切欠き側面図、（ｃ）はＡ−Ａ矢視図である。
【図２】同分解斜視図である。
【図３】同ゲルボックス固定手順の前段を示す斜視図である。
【図４】（ａ）は同手順の後段を示す斜視図、（ｂ）は同横断面図である。
【図５】（ａ）は本発明の第２の実施の形態である光ピックアップの要部を示す斜視図、（ｂ）は同横断面図である。
【図６】（ａ）は本発明の第３の実施の形態である光ピックアップの要部を示す横断面図、（ｂ）は同要部の部分斜視図である。
【図７】（ａ）は本発明の第４の実施の形態である光ピックアップの要部を示す横断面図、（ｂ）は同要部の部分斜視図である。
【図８】（ａ）は従来例を示す一部切欠き平面図、（ｂ）は同一部切欠き側面図、（ｃ）はＢ−Ｂ矢視図である。
【図９】同分解斜視図である。
【符号の説明】
【００３５】
１        コイル
２        レンズホルダ
３        ゲルボックス
４        弾性ワイヤ
５        位置決め突起部
７        アクトベース
８        位置決め孔
９        ビス挿通孔
１０      ねじ孔
１１      ビス
１５      ポケット
１６      連通孔
１６ａ    連通孔の内周縁
１６ｂ    連通孔の環状補強壁
１６ｃ    連通孔の内鍔部
１７      芯棒
１９      筒状接着剤層
２０      空気抜き孔
ＯＬ      対物レンズ
ｄ１      連通孔の内径
ｄ２      ポケットの内径
【図１】
2007234182.tif 000003
【図２】
2007234182.tif 000004
【図３】
2007234182.tif 000005
【図４】
2007234182.tif 000006
【図５】
2007234182.tif 000007
【図６】
2007234182.tif 000008
【図７】
2007234182.tif 000009
【図８】
2007234182.tif 000010
【図９】
2007234182.tif 000011